(57)【要約】      （修正有）【課題】金属棒やプラスチック板材料などの硬質材料で構成された頭部保護用面防具を打撃するための格闘技用グローブにおいて、従来の格闘技用グローブと比べて安全、保護効果が持続、脱着が容易な格闘技用グローブを提供する。【解決手段】グローブの最外郭を形成する硬質クッションシート１１の内側に開口部１５と収納部１６から構成されるクッション固定袋１３を固定し、クッション固定袋１３の内部にクッション部材１４を装入する。クッション固定袋１３の開口部１５をグローブ装着時に手の甲側の手首の位置に配し、クッション固定袋１３の終先端を手指の第二関節部分まで配置させて固定した。【選択図】図１
2009160041.tif 000002
【特許請求の範囲】
【請求項１】
日本拳法、逮捕術、空手などの徒手格闘技用の練習及び試合に使用するための日本拳法、逮捕術、空手などの徒手格闘技用の練習及び試合に使用し、かつ打撃の衝撃を吸収するためのクッション部材を有する手を保護するための格闘技用グローブであって、グローブの最外郭を形成する部材の内側に、開口部（１５）と収納部（１６）から構成されるクッション固定袋（１３）を固定し、かつ当該クッション固定袋（１３）の内部にクッション部材（１４）を装入することを特徴とする格闘技用グローブ。
【請求項２】
前記、クッション固定袋（１３）の開口部（１５）をグローブ装着時に手の甲側の手首の位置に配し、かつ、前記、クッション固定袋（１３）の収納部（１６）をグローブ装着時に中手指節関節と手指基節骨と第二指節間関節の前面に配することを特徴とする請求項１に記載の格闘技用グローブ。
【請求項３】
前記、クッション固定袋（１３）内に、クッション部材（１４）をあらかじめ圧入して内包したクッション収納袋（２１）を装入することを特徴とする請求項１又は２に記載の格闘技用グローブ。
【請求項４】
前記、クッション部材（１４）として、硬質クッション材と軟質クッション材の少なくとも１種類のクッション材の短冊状、又はサイコロ状の部材を用いることを特徴とする請求項１乃至３に記載の格闘技用グローブ。
【請求項５】
前記、クッション部材（１４）としての硬質クッション材が、連続気泡或いは半連続気泡を有する有機高分子材料で構成された材料であり、かつ軟質クッション材が、連続気泡を有する有機高分子材料で構成された材料であることを特徴とする請求項１乃至４に記載の格闘技用グローブ。
【請求項６】
前記、クッション部材（１４）を構成する軟質クッション材が、綿繊維、麻繊維、椰子殻チップ、ナイロン繊維、テトロン繊維、ポリエステル繊維、テフロン（登録商標）繊維、ポリウレタンスポンジ、動物毛、連続気泡あるいは半連続気泡を有する有機高分子材料の１以上で構成された材料であることを特徴とする請求項１乃至５に記載の格闘技用グローブ。
【発明の詳細な説明】
【技術分野】
【０００１】
本発明は日本拳法、逮捕術、空手等の徒手格闘技用の武道用防具に関するもので、詳しくは鉄鋼、ステンレス、チタンなどの金属製の棒材料やプラスチック板材料などの硬質材料で構成された頭部保護用面防具及び胴部保護用防具を打撃するための格闘技用グローブに関するものである。
【背景技術】
【０００２】
従来から使用されている日本拳法や逮捕術などの武道で使用されている面防具は、特に安全が必要な頭部を保護するものであり、金属棒で強固に構成された保護構造部材とその内側に木綿布袋に木綿綿を封入した衝撃吸収効果の低いクッション部材を固定したものである（非特許文献１〜４）。特に最近の製品としては、早川繊維工業製（九櫻）Ｒ２０８型日本拳法面、あるいは早川繊維工業（九櫻）Ｒ３００ＭＳＷ型日本拳法面などがある。
【０００３】
この面防具を打撃するために使用される日本拳法や逮捕術用の格闘技用グローブは、強固な保護構造部材を打撃する際に当該保護構造部材から伝わる集中荷重から手指を保護するために手の関節と手背部分へ重点的にクッション部材を装入した早川繊維工業（九櫻）Ｒ２００Ｋ型拳法グローブなどが開発されている。
【０００４】
ところが、当該従来のグローブは、クッション部材として発泡ポリエチレンシート、発泡ポリウレタンシート、テトロン綿などが単一で用いられているが、長年の使用中に、打撃の際に最も加重が集中する手の甲側の中指と人差し指の関節部分の上面から周辺部分にクッション部材が分散移動してしまい、その状態で打撃をした場合に当該関節部分を負傷するという不具合が生じていた。図３に当該従来のグローブの断面概要図を示す。
【０００５】
そこで、簡易的にこの不具合を解消するため、バンテージと称する布等の帯を、手指を中心として巻き付けて固定し、拳を固定化することを行っていた。しかし、このバンテージは手指を圧迫し、さらに通気性等の観点から長期連続使用に耐えることができず、結果的に拳を痛めることになっていた。
【０００６】
その他、関連の徒手格闘用の防具としては、例えば「ボクシング用グローブ」（特許文献１）、「ボクシンググローブ」（特許文献２）、「逮捕術用防具」（特許文献３）などが開示されている。
【０００７】
しかし、これらの武道用防具は、使用者に対する打撃時の衝撃を緩和し、訓練時の擦傷の発生を防止し、且つ軽量で使用者への負担の少ない防具を提供する目的で製造されているにもかかわらず、上記の不具合を解消するための構造上の工夫が何ら成されていない状況であった。
【０００８】
特に、ボクシング用グローブにおいては、クッション部材を板状にして何層も固定して張り付けているものが多いが、これを強固な鋼線製の保護構造部材から構成されている日本拳法用の面防具を打撃した場合、クッション部材の特に人差し指と中指の中手指節関節部分に荷重が集中し、その結果、当該クッション部材が劣化して当該部分のクッション作用が低下するという不具合から生じることは避けられなかった。
【０００９】
【特許文献１】特開昭６０−１６８４７５号
【特許文献２】実用新案登録第３０００４６７号
【特許文献３】実用新案登録第３０６６５９３号
【非特許文献１】「日本拳法」澤山宗海著  毎日新聞社刊
【非特許文献２】「拳法教程」森良之祐著  原書房刊
【非特許文献３】「日本拳法教範Ｉ」石黒邦男著  圭文社刊
【非特許文献４】「絵説日本拳法」桟原富士男著  櫂歌書房刊
【発明の開示】
【発明が解決しようとする課題】
【００１０】
このような状況を鑑み、本発明者は、日本拳法、逮捕術、空手等の徒手格闘技用の武道用防具に関するもので、詳しくは金属製の棒材料やプラスチック板材料などの硬質材料で構成された頭部保護用面防具を打撃する格闘技用グローブに関するもので、従来の格闘技用グローブと比べて安全で、保護効果が持続し、かつ脱着が容易なものを提供することを課題とする。
【課題を解決するための手段】
【００１１】
本発明は、このような課題を解決するために、日本拳法、逮捕術、空手などの徒手格闘技用の練習及び試合に使用し、かつ打撃の衝撃を吸収するためのクッション部材を有する手を保護するための格闘技用グローブとして成されたもので、格闘技用グローブに係る請求項１に記載の発明は、グローブの最外郭を形成する部材の内側に、開口部（１５）と収納部（１６）から構成されるクッション固定袋（１３）を固定し、かつ当該クッション固定袋（１３）の内部にクッション部材（１４）を装入することを特徴とする。
【００１２】
このように、クッション部材（１４）を装入するためのクッション固定袋（１３）をグローブ内部に固定することによってクッション部材（１４）の不用意な分散移動を防止することが可能となる。
【００１３】
さらに、請求項２に記載の発明は、請求項１に記載の発明において、前記、クッション固定袋（１３）の開口部（１５）をグローブ装着時に手甲側の手首の位置に配し、かつ、前記、クッション固定袋（１３）の収納部（１６）をグローブ装着時に中手指節関節と手指基節骨と第二指節間関節の前面に配することを特徴とする。
【００１４】
このように、グローブの打撃面の内、最も打撃部分が集中して荷重が集まる手甲の甲部分であって、中手指節関節と手指基節骨と第二指節間関節の前面にクッション収納部を固定することによって、特に、強固な鋼線で構成される日本拳法用の面防具を直接打撃するような格闘技用グローブの場合、当該面防具の鋼線部分に直接当たる部分のクッション部材（１４）に応力が集中してクッション部材（１４）が周辺へ分散移動するという不具合を防止することが可能となる。
【００１５】
さらに、請求項３に記載の発明は、請求項１又は２に記載の発明において、前記、クッション固定袋（１３）内に、クッション部材（１４）をあらかじめ圧入して内包したクッション収納袋（２１）を装入することを特徴とする。
【００１６】
このように、あらかじめ大容量のクッション部材（１４）をクッション収納袋（２１）に挿入しておけば、クッション固定袋（１３）にクッション部材（１４）を装入しやすい上に、クッション部材（１４）の分散移動が二重に防止できる効果がある。
【００１７】
さらに、請求項４に記載の発明は、請求項１乃至３に記載の発明において、前記、クッション部材（１４）として、硬質クッション材と軟質クッション材の少なくとも１種類のクッション材の短冊状、又はサイコロ状の部材を用いることを特徴とする。
【００１８】
このように、あらかじめ短冊状あるいはサイコロ状の形状を有するクッション部材（１４）を集合して全体として一体化して圧入すると、クッション部材（１４）がさらに分散移動しにくくなる。さらに、不用意にクッション部材（１４）が固定されずに周辺のクッション部材（１４）の部品同士が移動するため、同じクッション部材（１４）の同一箇所に応力が集中してクッション効果が低減するという不具合が発生しない。
【００１９】
さらに、請求項５に記載の発明は、請求項１乃至４に記載の発明において、前記、クッション部材（１４）としての硬質クッション材が、連続気泡或いは半連続気泡を有する有機高分子材料で構成された材料であり、かつ軟質クッション材が、連続気泡を有する有機高分子材料で構成された材料であることを特徴とする。
【００２０】
さらに、請求項６に記載の発明は、請求項１乃至５に記載の発明において、  前記、クッション部材（１４）を構成する軟質クッション材が、綿繊維、麻繊維、椰子殻チップ、ナイロン繊維、テトロン繊維、ポリエステル繊維、テフロン（登録商標）繊維、ポリウレタンスポンジ、動物毛、連続気泡あるいは半連続気泡を有する有機高分子材料の１以上で構成された材料であることを特徴とする。
【００２１】
このような材料を複合的に用いることによって、グローブ内部におけるクッション部材（１４）の適度な固定によってクッション部材（１４）の偏りを防止し、かつ、クッション部材（１４）の適度な移動に起因した応力集中の分散によって、クッション部材（１４）の劣化を防止するという効果がある。
【発明の効果】
【００２２】
上述のように、本発明の格闘技用グローブを使用するとクッション部材のみで拳を強固にかつ持続的に保護することが可能であるため、従来の格闘技用グローブの装着時にグローブとセットで使用していたバンテージなどの手指固定用補助部材を使用せずに済むという効果が生じる。
【００２３】
これによって、手指に感じる不用意な圧迫感が解消され、過酷な使用条件下にあっても継続してグローブを装着することが出来るとともに、グローブの脱着を速やかに行うことができる効果が発揮される。
【００２４】
さらに、不要な用具の使用を軽減できることから、グローブ装着時の手とグローブの総重量を軽くすることができ、技のスピードアップを図ることができるという効果が生じる。
【００２５】
さらに、手指固定用補助部材使用しない事により、手指の開平運動が速やかにできる上、手首の屈曲がし易くなる。その結果、掴み技や投げ技の実施など、格闘技術が多彩になるという効果が生じることとなる。
【発明を実施するための最良の形態】
【００２６】
本発明の実施形態は日本拳法、逮捕術、空手等の徒手格闘技用の武道用防具に関するもので、詳しくは鉄鋼製の金属棒やプラスチック板材料などの硬質材料で構成された頭部保護用面防具を打撃するための格闘技用グローブとして実施されるものである。
【００２７】
特に、面防具の保護構造部材が金属鋼線で構成されている日本拳法および逮捕術の競技用の防具としての格闘技用グローブに関して実施される。
【実施例】
【００２８】
以下、具体的に図面に従って本発明からなる格闘技用防具について説明する。
【００２９】
（実施例１）
本実施例は、日本拳法用のグローブである。図１に当該グローブの断面概要図を示す。
【００３０】
クッション部材として、８ｍｍ厚の（株）イノアックコーポレーション製の発泡ポリウレタン製の硬質クッションシートをグローブ内部の最外殻部分である牛革の内側に設置した。そして、その下部、即ち手に直接接触する部分にクッション固定袋を設置した。そして、クッション固定袋におけるクッション装入のための開口部を手甲の背側に設置すると共に、クッション固定袋の終先端を手指の第二関節部分まで配置させて固定した。そして、当該クッション固定部に、厚みが３ｃｍになるように、５ｍｍ幅で５ｍｍ厚のイノアックコーポレーション製発泡ポリウレタンの帯状クッション部材を多数圧入した。
【００３１】
（実施例２）
本実施例は、日本拳法用グローブの別の実施例である。図２に当該グローブの断面概要図を示す。
【００３２】
前実施例１において、クッション固定袋にクッション部材を装入する際、クッション収納袋を別途用意し、その収納袋に厚みが３ｃｍになるように、５ｍｍ幅で５ｍｍ厚のイノアックコーポレーション製発泡ポリウレタンの帯状クッション部材を多数封入した、当該クッション収納袋をクッション固定袋に装入した。その他の部分は前実施例１と同様であるために詳細は省略する。
【００３３】
実際に前記実施例１および２のグローブを装着して徳島大学日本拳法部員と同部ＯＢの十数人が日本拳法の防具練習を数年間に亘って行った結果、従来のグローブと比べて手の痛みや衝撃を感じる度合いが格段に小さく、さらにクッション部材の移動による不具合がほとんど起こらないという分析結果を得ることができた。日本拳法修練期間が２ヶ月以下の部員も防具練習に使用したが感じる衝撃が格段に小さくなり安全に練習出来るとの評価があった。
【産業上の利用可能性】
【００３４】
本発明は、武道用防具の内、安全なグローブを提供するために成されたものであるが、格闘技用グローブに限定されず、打撃用グローブ全体に応用することが可能である。
【図面の簡単な説明】
【００３５】
【図１】本発明の一実施例としての格闘技用グローブ
【図２】本発明の一実施例としての格闘技用グローブ
【図３】従来例としての格闘技用グローブ
【符号の説明】
【００３６】
１３．クッション固定袋
１４．クッション部材
１５．開口部
１６．収納部
２１．クッション収納袋
３１．テトロン綿
【図１】
2009160041.tif 000003
【図２】
2009160041.tif 000004
【図３】
2009160041.tif 000005